(57)【要約】  本発明は、高さのおおよそ半分のところに大きな円盤が水平位置に設けられて、クラウンのバランスがとれ安定した支持に役立つ歯科インプラントのスタンプに関する。【選択図】図１
2012513222.tif 000002
【特許請求の範囲】
【請求項１】
円形ステムで構成される歯科インプラントのスタンプであって、高さの中間点に、前記スタンプ（１）の対応する断面よりも大きな直径を有する円盤（３、３０）を水平位置に備えることを特徴とする、スタンプ。
【請求項２】
前記円盤（３、３０）が上から下に前記スタンプ（１）に挿入された際、前記円盤（３、３０）の中心に得られる円形穴（４）の周縁部と選択的に結合するように適合された1つ又は複数の周縁溝（２）が設けられることを特徴とする、請求項１に記載のスタンプ。
【請求項３】
前記円盤（３０）に一続きの半径方向切り欠きが設けられることを特徴とする、請求項１又は２に記載のスタンプ。
【請求項４】
前記円盤（３、３０）の周縁ポイントに、対応するプラグ（７）が通るように適合されたスロット（６）が設けられることを特徴とする、請求項１〜３のいずれか一項に記載のスタンプ。
【発明の詳細な説明】
【技術分野】
【０００１】
本特許出願は、特に、特定の機能効果が提供される歯科インプラントのスタンプに関する。
【背景技術】
【０００２】
従来技術の概説後、本発明の特色及び利点が明らかになろう。
【０００３】
歯科インプラント技法は、自然に抜けたか、又は歯科医に抜歯された歯の喪失を治療するために広く使用されている。
【０００４】
本技法によれば、歯科医は、取り付ける補綴物の歯根として機能する基本的に円柱形の金属ピン（技術的に「インプラント」として定義される）を埋め込む。
【０００５】
同様のインプラントが骨に安定化されると、通常、「スタンプ」として定義される基本的に円錐形の金属ステムが、ネジにより固定される。
【０００６】
スタンプは、補綴物（いわゆる「クラウン」）、すなわち、抜けた自然の歯を正確に表すジャケットクラウンを支持するように適合される。
【０００７】
典型的なクラウンが通常、セラミックでコーティングされたメタルベルで形成されることに留意しなければならない。
【０００８】
クラウンと対応するスタンプとの結合は通常、適したセメントペーストにより、上記ペーストの量をその時々で正確に調整することが求められる非常に繊細な動作に従って得られる。
【０００９】
ペーストが過剰であれば、ペーストがクラウンから制御不能に漏れ出し、拒絶反応により最終的にインプラントの損失に繋がる恐れがある危険な歯周炎を生じさせる。
【００１０】
スタンプがインプラントに固定される前にスタンプに直接構築されて成形される樹脂クラウンを使用する、そのような欠点を解消する代替の技術が導入されている。
【００１１】
スタンプには、好ましくは、樹脂の接着に役立つギザギザポイントをもたらすいくつかの研削エリアが設けられる。
【００１２】
「クラウンスタンプ」組立体が実現された後、組立体の貫通孔を通る基本的に垂直な軸を有するネジにより、その組立体がインプラント（すでに患者の骨に埋め込まれている）に固定される。
【００１３】
穴の上部開口部は、適した量の補綴物ペーストで閉じられるように適合される。
【００１４】
しかし、この高度な技術にいくつかの欠点があり、最も大きな欠点は、噛むことにより生じる高い機械的応力により、金属スタンプに対する樹脂クラウンの安定性が不良であることに留意する必要がある。
【００１５】
特に、そのような残念な問題は、臼歯の形状及び寸法を再現するクラウンの場合のように、クラウンがスタンプよりもはるかに大きな断面を有する場合に生じる。
【００１６】
本発明を使用しない場合、そのようなクラウンは、均等な支持がないため、特に周縁部が安定しない傾向を有すると言える。
【発明の概要】
【発明が解決しようとする課題】
【００１７】
本発明の特定の目的は、大きな幅を有するクラウンの場合であっても、支持スタンプに関して完璧な安定性を樹脂クラウンに提供することに特定の意図を持ち、上記技法を改良することである。
【課題を解決するための手段】
【００１８】
そのような有利な結果が得られる本発明の概念の本質は、スタンプが、スタンプの特定の断面の幅を超えて延びる樹脂クラウンの支持エリアを形成するように、スタンプの耐荷重性能を増大させることにある。
【００１９】
この結果は、スタンプの高さの中間点に、上から下にスタンプに挿入される金属円盤の中心穴にエネルギー的に結合する少なくとも1つの周縁溝を本発明のスタンプに設けることにより得られた。
【００２０】
上記に鑑みて、円盤はスタンプの全周にわたって突出し、それにより、クラウンの樹脂に有効な支持及び係留を提供する大きな水平表面を作り出す。
【００２１】
さらに、上記円盤がスタンプのオプションの付属品であり、クラウンが「拡大」支持を必要としない場合はいつでも、スタンプを従来の構成で（すなわち、そのような円盤なしで）も使用可能なことに留意しなければならない。
【００２２】
本発明のスタンプの上記「モジュラ」版は、経済的観点及び機能的観点から確実に最も有利な実施形態であるが、周縁円盤は、基本的に一体構造の解決策に従って、スタンプに不可逆的に一体化することができる。
【００２３】
同じ本発明による概念内で、本発明のスタンプに、クラウンの支持免責を拡大する異なる技術的解決策を提供してもよいことに留意しなければならない。
【００２４】
例えば、一続きの一定間隔の半径方向切り欠きが設けられた代替の円盤を使用し得る。
【００２５】
上記円盤は、クラウンの特別な支持が必要な場合に、歯科医が所望のように研削することにより「削る」ことができる（特に、本発明のスタンプの一体版において）。
【００２６】
明確にするために、限定の意味ではなく単に説明を目的とする添付図面を参照して、本発明の説明を続ける。
【図面の簡単な説明】
【００２７】
【図１】円盤が非動作状態の本発明のスタンプの分解組立不等角投影図である。
【図２】円盤が動作状態の本発明のスタンプの不等角投影図である。
【図２Ａ】図２の拡大した細部の部分断面図である。
【図３】クラウンで完成した図２のスタンプの図である。
【図４】本発明のスタンプの代替の実施形態を参照することを除き、図２と同じである。
【図５】本発明のスタンプのさらなる構造実施形態を参照することを除き、図２Ａと同じである。
【図６】本発明のスタンプの対応する一対の不等角投影図である。
【発明を実施するための形態】
【００２８】
図１を参照すると、本発明のスタンプ（１）は、通常は基本的に円錐形ステムの構造を有し、薄い周縁溝（２）が高さの中間点に設けられることを特徴とする。
【００２９】
上述したように、スタンプ（１）は、中心穴（４）が設けられた円盤（３）と協働するように適合される。穴（４）の直径は基本的に、溝（２）の底でのスタンプ（１）の厚さに対応する。
【００３０】
これら２つの部品の結合は、図２に示されるように、中心穴を通して円盤（３）が上から下にスタンプ（１）に挿入された場合に得られる。
【００３１】
円錐形スタンプ（１）に、好ましくは、先端から下端部まで増大する断面が設けられることを考慮すると、円盤（３）の穴（４）の縁部が、下降して移動する間、上記溝（２）内に挿入されるまで、スタンプ（１）の外壁に当たってこすれる度合いが増すことが明確に分かる。
【００３２】
上記は、スタンプ（１）と円盤（３）との非常に安定した結合を提供し、それにより、円盤（１）の周縁突出エリアがクラウン（５）の樹脂の重量及び噛む間にクラウン（５）により伝達される応力に容易に耐えられることを保証する。
【００３３】
図１に明確に示されるものとは別に、上記第1の溝（２）に加えて、本発明のスタンプの異なる高さに、1つ又は２つの追加の同一の溝を設けることもでき、これにより、歯科医がクラウン（５）の特定の特徴に従って最も適した高さに円盤（３）を取り付けることができることが理解される。
【００３４】
上述したように、本発明のスタンプは、図５に示されるように、上記円盤がスタンプと「一体」構造で得られる一体版でも実現可能である。
【００３５】
図４を参照すると、スタンプ（１）に、一定間隔で続く半径方向切り欠きが設けられた異なる構成の円盤（３０）が設けられる。
【００３６】
この場合、円盤（３０）は、対応するスタンプと結合するように適合されたタイプのものであってもよく、又はスタンプと「一体」構造で得られるタイプのものであってもよい。
【００３７】
最後に、円盤（３、３０）の上記実施形態に、好ましくは、図６に示されるように、周縁点において得られる貫通スロット（６）を設けることもできることに留意しなければならない。
【００３８】
そのような貫通スロット（６）は、２つの隣接するスタンプ（１）の円盤（３、３０）同士の安定した接続を提供し、それにより、図６に明確に示されるように、クラウンの共通耐荷重エリアを得るために考案された。
【００３９】
この場合、２つの隣接するスタンプ（１）の円盤（３、３０）は、第１の円盤が第２の円盤に部分的に載り、スロット（６）が垂直に位置合わせされるように配置される。
【００４０】
これで、円盤（３、３０）同士の安定した結合が、スロット（６）を同時に通る垂直軸（７）を有するプラグにより容易に得ることができる。
【図１】
2012513222.tif 000003
【図２】
2012513222.tif 000004
【図２Ａ】
2012513222.tif 000005
【図３】
2012513222.tif 000006
【図４】
2012513222.tif 000007
【図５】
2012513222.tif 000008
【図６】
2012513222.tif 000009
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
−患者の骨に埋め込まれた歯科インプラントへの結合に適した円形ステムで構成されたスタンプ（１）と、
−欠損した自然の歯を厳密に表す樹脂クラウン（５）であって、上記スタンプ（１）により支持される樹脂クラウン（５）と
を備える歯科補綴物であって、
前記スタンプ（１）が、水平位置において、前記スタンプ（１）の対応する断面よりも大きな直径を有するように構成される円盤（３、３０）を有し、前記円盤（３、３０）が、前記クラウン（５）の前記樹脂の係留を提供するように、前記スタンプ（１）の高さの中間点に配置されることを特徴とする、歯科補綴物。
【請求項２】
前記スタンプ（１）に、少なくとも１つの周縁溝（２）が設けられ、前記円盤（３）に、前記円盤（３、３０）の中心に得られる円形穴（４）が設けられ、前記周縁溝（２）は、前記円盤が上から下に前記スタンプ（１）に挿入された場合、前記円盤の前記円形穴（４）の周縁部と選択的に結合するように適合されることを特徴とする、請求項１に記載の歯科補綴物。
【請求項３】
前記円盤（３０）に一続きの半径方向切り欠きが設けられることを特徴とする、請求項１又は２に記載の歯科補綴物。
【請求項４】
前記円盤（３、３０）の周縁ポイントに、対応するプラグ（７）が通るように適合されたスロット（６）が設けられて、２つの隣接したスタンプ（１）の前記円盤（３、３０）同士の安定した接続を提供し、それにより、前記クラウン（５）のための共通耐荷重エリアが得られることを特徴とする、請求項１〜３のいずれか一項に記載の歯科補綴物。
【手続補正２】
【補正対象書類名】明細書
【補正対象項目名】全文
【補正方法】変更
【補正の内容】
【書類名】明細書
【発明の名称】歯科インプラントのスタンプ
【技術分野】
【０００１】
本特許出願は、特に、特定の機能効果が提供される歯科インプラントのスタンプに関する。
【背景技術】
【０００２】
従来技術の概説後、本発明の特色及び利点が明らかになろう。
【０００３】
歯科インプラント技法は、自然に抜けたか、又は歯科医に抜歯された歯の喪失を治療するために広く使用されている。
【０００４】
本技法によれば、歯科医は、取り付ける補綴物の歯根として機能する基本的に円柱形の金属ピン（技術的に「インプラント」として定義される）を埋め込む。
【０００５】
同様のインプラントが骨に安定化されると、通常、「スタンプ」として定義される基本的に円錐形の金属ステムが、ネジにより固定される。
【０００６】
スタンプは、補綴物（いわゆる「クラウン」）、すなわち、抜けた自然の歯を正確に表すジャケットクラウンを支持するように適合される。
【０００７】
典型的なクラウンが通常、セラミックでコーティングされたメタルベルで形成されることに留意しなければならない。
【０００８】
クラウンと対応するスタンプとの結合は通常、適したセメントペーストにより、上記ペーストの量をその時々で正確に調整することが求められる非常に繊細な動作に従って得られる。
【０００９】
ペーストが過剰であれば、ペーストがクラウンから制御不能に漏れ出し、拒絶反応により最終的にインプラントの損失に繋がる恐れがある危険な歯周炎を生じさせる。
【００１０】
スタンプがインプラントに固定される前にスタンプに直接構築されて成形される樹脂クラウンを使用する、そのような欠点を解消する代替の技術が導入されている。
【００１１】
スタンプには、好ましくは、樹脂の接着に役立つギザギザポイントをもたらすいくつかの研削エリアが設けられる。
【００１２】
「クラウンスタンプ」組立体が実現された後、組立体の貫通孔を通る基本的に垂直な軸を有するネジにより、その組立体がインプラント（すでに患者の骨に埋め込まれている）に固定される。
【００１３】
穴の上部開口部は、適した量の補綴物ペーストで閉じられるように適合される。
【００１４】
しかし、この高度な技術にいくつかの欠点があり、最も大きな欠点は、噛むことにより生じる高い機械的応力により、金属スタンプに対する樹脂クラウンの安定性が不良であることに留意する必要がある。
【００１５】
特に、そのような残念な問題は、臼歯の形状及び寸法を再現するクラウンの場合のように、クラウンがスタンプよりもはるかに大きな断面を有する場合に生じる。
【００１６】
本発明を使用しない場合、そのようなクラウンは、均等な支持がないため、特に周縁部が安定しない傾向を有すると言える。
【００１７】
（特許文献１）には、骨組織の対応する窪み内に配置されるように構成されたフランジが設けられた歯科インプラントが開示されている。
【００１８】
（特許文献２）には、メス部を着脱可能に固定するＯリングが設けられた歯科インプラントのアバットメントが開示されている。
【００１９】
（特許文献３）には、円盤が設けられたステムに係留される切頭円錐形アバットメントを備える歯科インプラントが開示されている。クラウンはアバットメントに取り付けられる。
【００２０】
（特許文献４）には、他において歯肉組織上に嵌り、歯肉組織を型取るように設計された半球形カップを有するアバットメントを備える歯科インプラントが開示されている。カップは取り外され、補綴物がアバットメントに固定される。
【先行技術文献】
【特許文献】
【００２１】
【特許文献１】仏国特許第１  ４２９  ３９２号明細書
【特許文献２】米国特許第２００２／０１７７１０３号明細書
【特許文献３】米国特許第２００６／００４６２２９号明細書
【特許文献４】欧州特許第１  ７１２  ２０４号明細書
【発明の概要】
【発明が解決しようとする課題】
【００２２】
本発明の特定の目的は、大きな幅を有するクラウンの場合であっても、支持スタンプに関して完璧な安定性を樹脂クラウンに提供することに特定の意図を持ち、上記技法を改良することである。
【課題を解決するための手段】
【００２３】
そのような有利な結果が得られる本発明の概念の本質は、スタンプが、スタンプの特定の断面の幅を超えて延びる樹脂クラウンの支持エリアを形成するように、スタンプの耐荷重性能を増大させることにある。
【００２４】
この結果は、スタンプの高さの中間点に、上から下にスタンプに挿入される金属円盤の中心穴にエネルギー的に結合する少なくとも１つの周縁溝を本発明のスタンプに設けることにより得られた。
【００２５】
上記に鑑みて、円盤はスタンプの全周にわたって突出し、それにより、クラウンの樹脂に有効な支持及び係留を提供する大きな水平表面を作り出す。
【００２１】
さらに、上記円盤がスタンプのオプションの付属品であり、クラウンが「拡大」支持を必要としない場合はいつでも、スタンプを従来の構成で（すなわち、そのような円盤なしで）も使用可能なことに留意しなければならない。
【００２２】
本発明のスタンプの上記「モジュラ」版は、経済的観点及び機能的観点から確実に最も有利な実施形態であるが、周縁円盤は、基本的に一体構造の解決策に従って、スタンプに不可逆的に一体化することができる。
【００２３】
同じ本発明による概念内で、本発明のスタンプに、クラウンの支持免責を拡大する異なる技術的解決策を提供してもよいことに留意しなければならない。
【００２４】
例えば、一続きの一定間隔の半径方向切り欠きが設けられた代替の円盤を使用し得る。
【００２５】
上記円盤は、クラウンの特別な支持が必要な場合に、歯科医が所望のように研削することにより「削る」ことができる（特に、本発明のスタンプの一体版において）。
【００２６】
明確にするために、限定の意味ではなく単に説明を目的とする添付図面を参照して、本発明の説明を続ける。
【図面の簡単な説明】
【００２７】
【図１】  円盤が非動作状態の本発明のスタンプの分解組立不等角投影図である。
【図２】  円盤が動作状態の本発明のスタンプの不等角投影図である。
【図２Ａ】  図２の拡大した細部の部分断面図である。
【図３】  クラウンで完成した図２のスタンプの図である。
【図４】  本発明のスタンプの代替の実施形態を参照することを除き、図２と同じである。
【図５】  本発明のスタンプのさらなる構造実施形態を参照することを除き、図２Ａと同じである。
【図６】  本発明のスタンプの対応する一対の不等角投影図である。
【発明を実施するための形態】
【００２８】
図１を参照すると、本発明のスタンプ（１）は、通常は基本的に円錐形ステムの構造を有し、薄い周縁溝（２）が高さの中間点に設けられることを特徴とする。
【００２９】
上述したように、スタンプ（１）は、中心穴（４）が設けられた円盤（３）と協働するように適合される。穴（４）の直径は基本的に、溝（２）の底でのスタンプ（１）の厚さに対応する。
【００３０】
これら２つの部品の結合は、図２に示されるように、中心穴を通して円盤（３）が上から下にスタンプ（１）に挿入された場合に得られる。
【００３１】
円錐形スタンプ（１）に、好ましくは、先端から下端部まで増大する断面が設けられることを考慮すると、円盤（３）の穴（４）の縁部が、下降して移動する間、上記溝（２）内に挿入されるまで、スタンプ（１）の外壁に当たってこすれる度合いが増すことが明確に分かる。
【００３２】
上記は、スタンプ（１）と円盤（３）との非常に安定した結合を提供し、それにより、円盤（１）の周縁突出エリアがクラウン（５）の樹脂の重量及び噛む間にクラウン（５）により伝達される応力に容易に耐えられることを保証する。
【００３３】
図１に明確に示されるものとは別に、上記第1の溝（２）に加えて、本発明のスタンプの異なる高さに、1つ又は２つの追加の同一の溝を設けることもでき、これにより、歯科医がクラウン（５）の特定の特徴に従って最も適した高さに円盤（３）を取り付けることができることが理解される。
【００３４】
上述したように、本発明のスタンプは、図５に示されるように、上記円盤がスタンプと「一体」構造で得られる一体版でも実現可能である。
【００３５】
図４を参照すると、スタンプ（１）に、一定間隔で続く半径方向切り欠きが設けられた異なる構成の円盤（３０）が設けられる。
【００３６】
この場合、円盤（３０）は、対応するスタンプと結合するように適合されたタイプのものであってもよく、又はスタンプと「一体」構造で得られるタイプのものであってもよい。
【００３７】
最後に、円盤（３、３０）の上記実施形態に、好ましくは、図６に示されるように、周縁点において得られる貫通スロット（６）を設けることもできることに留意しなければならない。
【００３８】
そのような貫通スロット（６）は、２つの隣接するスタンプ（１）の円盤（３、３０）同士の安定した接続を提供し、それにより、図６に明確に示されるように、クラウンの共通耐荷重エリアを得るために考案された。
【００３９】
この場合、２つの隣接するスタンプ（１）の円盤（３、３０）は、第１の円盤が第２の円盤に部分的に載り、スロット（６）が垂直に位置合わせされるように配置される。
【００４０】
これで、円盤（３、３０）同士の安定した結合が、スロット（６）を同時に通る垂直軸（７）を有するプラグにより容易に得ることができる。
【国際調査報告】
2012513222.tif 000010
2012513222.tif 000011